(57)【特許請求の範囲】
【請求項１】
対向する開閉端部の少なくとも一方が移動して開閉を行う開閉装置の開閉判別装置であって、
前記開閉端部の間における前記開閉端部の幅方向の両側端には、対向する前記開閉端部の接触もしくは近接を検知する一対の外側物体センサが介在し、前記開閉端部の間における一対の前記外側物体センサの間には、物体を検知する少なくとも１つの内側物体センサが介在しており、
一対の前記外側物体センサが検知、かつ前記内側物体センサが非検知の状態のときに正常な閉塞であると判別することを特徴とする開閉装置の開閉判別装置。
【請求項２】
対向する前記開閉端部の間の距離は、閉塞状態において幅方向の外側同士よりも内側同士が長いことを特徴とする請求項１に記載の開閉装置の開閉判別装置。
【請求項３】
一方の前記開閉端部は開閉方向に突出する凸部を有し、他方の前記開閉端部は開閉方向に凹み閉塞状態において前記凸部に凹凸嵌合する凹部を有し、前記内側物体センサは、前記凸部の先端に設けられることを特徴とする請求項１または２に記載の開閉装置の開閉判別装置。
【請求項４】
前記内側物体センサは、開閉時に移動する前記開閉端部に設けられることを特徴とする請求項１〜３のいずれかに記載の開閉装置の開閉判別装置。
【請求項５】
前記外側物体センサ及び前記内側物体センサは、前記開閉端部のいずれか一方に設けられることを特徴とする請求項１〜４のいずれかに記載の開閉装置の開閉判別装置。
【請求項６】
前記開閉判別装置は、前記外側物体センサ及び前記内側物体センサが全て非検知の状態と、一対の外側物体センサが共に検知、かつ内側物体センサが非検知の状態以外の状態であれば、異常と判別してエラーを報知する報知手段を備えることを特徴とする請求項１〜５のいずれかに記載の開閉装置の開閉判別装置。
【請求項７】
一方の対向端部に突出する凸部を有し、他方の対向端部に前記凸部に凹凸嵌合する凹部を有し、
対向する前記対向端部の間の距離は、凹凸嵌合した状態において幅方向の外側同士よりも内側同士が長くなっている凹凸嵌合部材の凹凸嵌合を判別する凹凸嵌合判別装置であって、
前記対向端部の間における前記対向端部の幅方向の両側端には、対向する前記対向端部の接触もしくは近接を検知する一対の外側物体センサが介在し、前記対向端部の間における一対の前記外側物体センサの間には、前記凸部の先端に物体を検知する少なくとも１つの内側物体センサが介在することを特徴とする凹凸嵌合判別装置。
【発明の詳細な説明】
【技術分野】
【０００１】
本発明は、開閉部材が正常に閉塞されているかを判別する開閉装置の開閉判別装置に関する。
【背景技術】
【０００２】
エレベータや移動間仕切装置等の開閉装置において可動式の開閉部材により出入口や隙間等の開口を自動開閉する開閉装置が用いられている。このような開閉装置においては、自動開閉する開閉部材に手指等の物体が挟まれ正常な閉塞が行われない場合がある。開閉部材による物体の挟み込みを検知して正常な閉塞が行われたどうか監視するために特許文献１に開示されるような技術が採用されている。
【０００３】
特許文献１によれば、自動ドア装置（開閉装置）は、トイレの室内と屋外を結ぶ開口部に設置され、該開口部上方に延設されるレールに対して摺動するローラを備える引戸と、該引戸を開閉動作させる駆動部と、から主に構成され、ローラに取り付けられたマグネットが、レールの延設方向の閉塞端部側に設けられる全閉検知スイッチに近接することにより、全閉検知スイッチが引戸の全閉状態を検知して自動ドア装置の開閉を制御する制御部に信号を送るようになっている。
【先行技術文献】
【特許文献】
【０００４】
【特許文献１】公開実用新案昭６１−７１７７７号公報（第３頁、第２図）
【発明の概要】
【発明が解決しようとする課題】
【０００５】
しかしながら、特許文献１にあっては、引戸の側端部と閉塞端部との間に指、服等の物体が挟み込まれた状態で閉塞されても全閉検知スイッチが動作し正常な閉塞状態と誤って認識してしまう虞があった。
【０００６】
本発明は、このような問題点に着目してなされたもので、開閉装置の閉塞状態を正確に確認できる開閉装置の開閉判別装置を提供することを目的とする。
【課題を解決するための手段】
【０００７】
前記課題を解決するために、本発明の開閉装置の開閉判別装置は、
対向する開閉端部の少なくとも一方が移動して開閉を行う開閉装置の開閉判別装置であって、
前記開閉端部の間における前記開閉端部の幅方向の両側端には、対向する前記開閉端部の接触もしくは近接を検知する一対の外側物体センサが介在し、前記開閉端部の間における一対の前記外側物体センサの間には、物体を検知する少なくとも１つの内側物体センサが介在しており、
一対の前記外側物体センサが検知、かつ前記内側物体センサが非検知の状態のときに正常な閉塞であると判別することを特徴としている。
この特徴によれば、開閉判別装置は、一対の外側物体センサが共に検知、かつ内側物体センサが非検知の状態のときに正常な閉塞が行われたと判別し、開閉装置の閉塞状態を正確に確認することができる。
【０００８】
対向する前記開閉端部の間の距離は、閉塞状態において幅方向の外側同士よりも内側同士が長いことを特徴としている。
この特徴によれば、開閉装置の閉塞時に開閉端部の外側同士が接触もしくは近接した状態で、内側同士は確実に離間しているので、開閉判別装置の構成を簡素にすることができる。
【０００９】
一方の前記開閉端部は開閉方向に突出する凸部を有し、他方の前記開閉端部は開閉方向に凹み閉塞状態において前記凸部に凹凸嵌合する凹部を有し、前記内側物体センサは、前記凸部の先端に設けられることを特徴としている。
この特徴によれば、開閉端部が開閉する際に、凸部の先端が先行するため、内側物体センサにより異物を早く検知できる。
【００１０】
前記内側物体センサは、開閉時に移動する前記開閉端部に設けられることを特徴としている。
この特徴によれば、開閉端部の開閉中に内側物体センサが異物を検知することができるので、閉塞時に異物を挟み込む危険性を低くできる。
【００１１】
前記外側物体センサ及び前記内側物体センサは、前記開閉端部のいずれか一方に設けられることを特徴としている。
この特徴によれば、外側物体センサ及び内側物体センサの検知回路を一方の開閉端部もしくはその近傍に設ければよいので簡素な構造にできる。
【００１２】
前記開閉判別装置は、前記外側物体センサ及び前記内側物体センサが全て非検知の状態と、一対の外側物体センサが共に検知、かつ内側物体センサが非検知の状態以外の状態であれば、異常と判別してエラーを報知する報知手段を備えることを特徴としている。
この特徴によれば、開閉判別装置により閉塞状態が異常と判別された際に、報知手段によってエラーとして報知することができるので、開閉装置の閉塞状態の異常を把握することができる。
【００１３】
凹凸嵌合判別装置は、一方の対向端部に突出する凸部を有し、他方の対向端部に前記凸部に凹凸嵌合する凹部を有し、
対向する前記対向端部の間の距離は、凹凸嵌合した状態において幅方向の外側同士よりも内側同士が長くなっている凹凸嵌合部材の凹凸嵌合を判別する凹凸嵌合判別装置であって、
前記対向端部の間における前記対向端部の幅方向の両側端には、対向する前記対向端部の接触もしくは近接を検知する一対の外側物体センサが介在し、前記対向端部の間における一対の前記外側物体センサの間には、前記凸部の先端に物体を検知する少なくとも１つの内側物体センサが介在することを特徴としている。
この特徴によれば、凹凸嵌合状態の対向する対向端部において、外側物体センサが介在する対向端部の幅方向の外側同士が接触した状態で内側物体センサが介在する対向端部の内側に形成される凸部が非接触となるため、凹凸嵌合判別装置は、一対の外側物体センサが共に検知、かつ内側物体センサが非検知の状態のときに正常な凹凸嵌合が行われたと判別し、凹凸嵌合状態を正確に確認することができる。
【図面の簡単な説明】
【００１４】
【図１】実施例における開閉判別装置が適用される移動間仕切装置の開閉装置による間仕切パネルの閉塞及び押圧の様子を示す斜視図である。
【図２】間仕切パネルと側部閉塞部材における開閉端部の構造を示す断面図である。
【図３】間仕切パネルと側部閉塞部材における開閉端部が正常に閉塞された状態を示す断面図である。
【図４】開閉判別装置の構造を示すブロック図である。
【図５】（ａ）及び（ｂ）は、開閉装置の閉塞状態の異常の具体例を示す断面図である。
【図６】（ａ）及び（ｂ）は、変形例を示す断面図である。
【発明を実施するための形態】
【００１５】
本発明に係る開閉装置の開閉判別装置を実施するための形態を実施例に基づいて以下に説明する。
【実施例】
【００１６】
実施例に係る開閉装置の開閉判別装置につき、図１から図６を参照して説明する。以下、図３の紙面下側を開閉装置の開閉判別装置の正面側（前方側）とし、図３の紙面上側を開閉装置の開閉判別装置の背面側（後方側）とし、その前方側から見たときの上下左右方向を基準として説明する。
【００１７】
本実施例における開閉判別装置１は、複数の間仕切パネル２，２，…を有する移動間仕切装置１００において、後述する最後尾の間仕切パネル２’の側方の隙間を閉塞するために設置される開閉装置１０の閉塞状態を判別するものとして説明する。そこで、先ず、開閉判別装置１（図４）が適用される移動間仕切装置１００及び開閉装置１０について説明する。
【００１８】
移動間仕切装置１００は、例えば、オフィスや展示会場、会議室等の室内空間を区画するために設置される間仕切装置である。図１に示されるように、移動間仕切装置１００は、室内空間の天井Ｃに設置されるレール３と、レール３に沿って移動可能な吊支部材３０，３０により上端が吊支される複数の間仕切パネル２，２，…と、から主に構成されている。
【００１９】
複数の間仕切パネル２，２，…は、不使用時にはレール３の一方の端部に設けられる格納レール３１の位置に格納されており、使用時には間仕切パネル２，２，…を側壁∨に設けられる移動規制端部４の方向にレール３に沿って手動で順次移動させることにより、間仕切パネル２，２，…を一列に連接させ、室内空間を仕切ることができるようになっている。尚、移動規制端部４とは、移動間仕切装置１００を構成する間仕切パネル２，２，…の内、先頭に設置される間仕切パネル２が当接し、先頭の間仕切パネル２の移動を規制する端部を構成する所定の側壁部や支柱等のことである。
【００２０】
また、図１に示されるように、移動規制端部４と対向した位置に配置される側壁Ｖには、空間Ｘが凹設されており、この空間Ｘ内に開閉装置１０が埋設されている。移動間仕切装置１００を構成する間仕切パネル２，２，…の内、最後尾の間仕切パネル２’は、開閉装置１０から進出退入可能に移動する側部閉塞部材１１により、その側部２ａと空間Ｘの側壁開口部（閉塞端部）４’が設けられた側壁Ｗ（閉塞端部）との間が閉塞されるようになっている。尚、閉塞端部とは、移動規制端部４と対向した位置で最後尾の間仕切パネル２’に対して相対移動しない固定部のことである。
【００２１】
また、図２に示されるように、最後尾の間仕切パネル２’の側部２ａには、上下方向に亘って略コ字状の凹部５０が形成された閉塞端部材５（開閉端部）がボルトとナットで固定されている。さらに、側部閉塞部材１１の側部１１ａには、上下方向に亘って突出する凸部６０が形成された閉塞端部材６（開閉端部）がボルトとナットで固定されている。
【００２２】
間仕切パネル２’側の閉塞端部材５は、前後中央に形成される凹部５０と、該凹部５０の両側端から前後に延出する一対の平板状の延出部５１，５１と、から主に構成されている。側部閉塞部材１１側の閉塞端部材６は、前後中央に形成される凸部６０と、該凸部６０の両側端から前後に延出する一対の平板状の延出部６１，６１と、から主に構成されている。
【００２３】
側部閉塞部材１１側の閉塞端部材６の延出部６１，６１における間仕切パネル２’側の閉塞端部材５との対向面６１ａ，６１ａには、タッチセンサ７Ａ，７Ｂ（外側物体センサ）がそれぞれ取り付けられている。さらに、凸部６０の先端部６０ｅにはタッチセンサ１７（内側物体センサ）が取り付けられている。これらタッチセンサ７Ａ，７Ｂ及びタッチセンサ１７は、閉塞端部材６の上下方向に渡って設けられている。
【００２４】
開閉装置１０の側部閉塞部材１１が進出して最後尾の間仕切パネル２’と側部閉塞部材１１との間が正確に閉塞された状態においては、図３に示されるように、閉塞端部材５の対向面５１ａ，５１ａと閉塞端部材６の対向面６１ａ，６１ａとが近接し、タッチセンサ７Ａ，７Ｂが対向面５１ａ，５１ａに当接する。これら閉塞端部材５及び閉塞端部材６の対向端が移動間仕切装置１００の開閉端部を構成している。
【００２５】
尚、閉塞端部材５の対向面５１ａ，５１ａと凹部５０の底部５０ａとの距離が、閉塞端部材６の対向面６１ａ，６１ａと凸部６０の先端部６０ｅに設けられたタッチセンサ１７の先端との距離より長い構造とされていることから、凹凸嵌合している凹部５０の底部５０ａと凸部６０に設けられたタッチセンサ１７の先端とが非接触状態となる。
【００２６】
次いで、開閉装置１０の閉塞状態を判別する開閉判別装置１について説明する。図４に示されるように、開閉判別装置１は、タッチセンサ７Ａ，７Ｂ及びタッチセンサ１７と、タッチセンサ７Ａ，７Ｂ及びタッチセンサ１７による検知結果に基づいて開閉装置１０の閉塞状態を判定するＰＬＣ等の判定処理装置８（判定部）と、該判定処理装置８と接続され開閉装置１０の側部閉塞部材１１を進出退入させる進退機構１２の動作制御を行う制御部９と、判定処理装置８と接続された報知手段８０と、から主に構成されている。
【００２７】
また、タッチセンサ１７は、最後尾の間仕切パネル２’と側部閉塞部材１１との間における前後方向の中央側で異物等の物体を検知可能な内側物体センサを構成し、タッチセンサ７Ａ，７Ｂは、最後尾の間仕切パネル２’と側部閉塞部材１１との間における前後両端側で物体を検知可能な外側物体センサを構成している。
【００２８】
開閉装置１０による閉塞が正常に完了した場合には、閉塞端部材５の対向面５１ａ，５１ａと閉塞端部材６の対向面６１ａ，６１ａとが近接し、タッチセンサ７Ａ，７Ｂが対向面５１ａ，５１ａに当接して物体を検知し、タッチセンサ７Ａ，７Ｂからそれぞれ検知信号が判定処理装置８に送信される。加えて、前述したように、凹凸嵌合している凹部５０の底部５０ａと凸部６０に設けられたタッチセンサ１７の先端とが非接触状態となることから、正常な閉塞状態ではタッチセンサ１７は物体を検知しておらず、検知信号が判定処理装置８に送信されていない状態となっている。
【００２９】
判定処理装置８は、上述したタッチセンサ７Ａ，７Ｂ及びタッチセンサ１７から送られる電気信号の組み合わせに基づいて開閉装置１０の閉塞状態の判定を行っており、開閉装置１０の閉塞状態が異常と判定された場合には、制御部９に対して停止信号等の電気信号を送ることができるようになっている。また、判定処理装置８は、開閉装置１０の閉塞状態の異常が判別された際には報知手段８０を用いてエラーを報知することができるようになっている。
【００３０】
制御部９は、開閉装置１０の側部閉塞部材１１を進退動作させる進退機構１２に対して動作制御を行っており、判定処理装置８から送られる停止信号の組み合わせに基づいて側部閉塞部材１１の進退動作を停止させるように進退機構１２の動作制御を行うことができるようになっている。
【００３１】
開閉判別装置１は、開閉装置１０の進退機構１２が動作して側部閉塞部材１１の進出が開始されると、タッチセンサ７Ａ，７Ｂ及びタッチセンサ１７による物体の検知が開始し、タッチセンサ７Ａ，７Ｂ及びタッチセンサ１７のいずれかから検知信号を受け取った場合、閉塞状態判定処理を行うようになっている。
【００３２】
判定処理装置８は、内側物体センサであるタッチセンサ１７から物体を検知した検知信号を受信した場合には、開閉装置１０の閉塞状態の異常と判定する。
【００３３】
これは、側部閉塞部材１１の閉塞動作中に、その先端に設けられたタッチセンサ１７に物体が接触したことを示しており、例えば、側部閉塞部材１１の移動経路に障害物が存在し、閉塞動作を正常に行えない状態を検知できたといえる。また、他の例としては、図５（ａ）に示すように、凹部５０と凸部６０とが正しく凹凸嵌合していない状態等も閉塞状態の異常と判定できる。
【００３４】
判定処理装置８は、外側物体センサであるタッチセンサ７Ａから物体を検知した検知信号を受信した場合には、外側物体センサであるタッチセンサ７Ｂからも物体を検知した検知信号を受信したか否かを判定する。そして、タッチセンサ７Ｂからも検知信号を受信している場合には、判定処理装置８は、開閉装置１０の閉塞状態を正常と判定して制御部９に停止信号を送り、開閉装置１０の動作を停止させるとともに、閉塞状態判定処理を終了する。
【００３５】
これは、タッチセンサ７Ａとタッチセンサ７Ｂとの、いずれからも検知信号を受信したことから、対向する間仕切パネル２’側の閉塞端部材５の対向面５１ａ，５１ａにそれぞれ当接したと判断している。
【００３６】
一方、タッチセンサ７Ａからは検知信号を受信しかつタッチセンサ７Ｂからは検知信号を受信していない場合には、閉塞状態を異常と判定し、制御部９に停止信号を送り開閉装置１０の動作を停止させ、閉塞状態判定処理を終了する。尚、このとき、判定処理装置８は報知手段８０に信号を送りエラーを報知する処理を行う。
【００３７】
尚、タッチセンサ７Ａ，７Ｂ及びタッチセンサ１７が全て非検知の状態と、タッチセンサ７Ａ及び７Ｂが共に検知、かつタッチセンサ１７が非検知の状態以外の状態であれば、異常と判定してもよい。
【００３８】
これは、タッチセンサ７Ａのみから検知信号を受信していることから、例えば図５（ｂ）に示されるように、タッチセンサ７Ａと対向する間仕切パネル２’側の閉塞端部材５の対向面５１ａとの間に手指等の物体が進入している状態等を判断している。
【００３９】
尚、判定処理装置８は、タッチセンサ７Ａ，７Ｂ及びタッチセンサ１７から物体の検知信号を受信した際には、それぞれの検知時間を記憶するようになっている。そして、タッチセンサ７Ａ，７Ｂ及びタッチセンサ１７の各検知時刻の時間差（検知時間差）を算定できるようになっている。検知時間差とは、例えば、一方のタッチセンサ７Ａから検知信号を受信した時点から、他方のタッチセンサ７Ｂから検知信号を受信した時点までの時間差のことを示している。
【００４０】
判定処理装置８は、この検知時間差が予め設定された所定時間より短いか否かを判定する。例えば、タッチセンサ７Ａから物体を検知した検知信号を受信した時点から、タッチセンサ７Ｂから物体を検知した検知信号を受信した時点までの時間が所定時間より短い場合には、タッチセンサ７Ａのみが物体を検知したことが、正常に閉塞が完了した場合における接触タイミングの誤差の範囲内であると判断し、開閉装置１０の閉塞状態を異常と判断しない。一方、検知時間差が所定時間より長い場合には、その時点で上述したとおりタッチセンサ７Ａと対向する間仕切パネル２’側の閉塞端部材５の対向面５１ａとの間に手指等の物体が進入している状態等を判断する。さらに、例えば、タッチセンサ７Ａ及び７Ｂと対向する間仕切パネル２’側の閉塞端部材５の対向面５１ａ，５１ａとの間に物体がそれぞれ進入している等が考えられるため、閉塞状態を異常と判定するように設定されている。
【００４１】
尚、タッチセンサ７Ｂからの検出信号を受信した際には、タッチセンサ７Ａからの検出信号を受信したか否かを判定基準とする。
【００４２】
報知手段８０は作業者に対して報知できる構成であれば、その態様は限定されず例えば、モニタにエラーを示す警告を表示する、ブザーを鳴らす、あるいはランプを点滅または点灯させるといった報知が望ましいが、報知手段８０を別途設けずに、開閉装置１０の動作を停止させることをもって作業者に異常を報知する態様であってもよい。
【００４３】
以上説明したように、開閉装置１０の正常な閉塞状態においては、閉塞端部材５の対向面５１ａ，５１ａと閉塞端部材６の対向面６１ａ，６１ａとが近接することにより、タッチセンサ７Ａ，７Ｂが対向面５１ａ，５１ａに当接し、凹凸嵌合している凹部５０の底部５０ａと凸部６０に設けられたタッチセンサ１７の先端とが確実に非接触状態となるため、開閉判別装置１は、タッチセンサ７Ａ，７Ｂ及びタッチセンサ１７の検出信号の組み合わせに基づいて開閉装置１０の閉塞状態を容易に判定することができ、開閉判別装置１の構成を簡素にすることができる。
【００４４】
また、最後尾の間仕切パネル２’と側部閉塞部材１１との間における異物等の物体を検知するセンサとして接触センサを使用できるため、非接触センサを使用した場合と比べて開閉判別装置１の構成を簡素にすることができる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、本実施例においては、物体センサにタッチセンサを用いた例を説明したが、これに限らず、非接触センサを用いることで検知対象となる物体への接触を防ぐことができる。尚、接触センサと非接触センサを組み合わせて構成されてもよい。
【００４７】
また、図６（ａ）に示される変形例のように、閉塞端部材６の対向面６１ａ，６１ａに上下に渡る凹部７１，７１をそれぞれ設け、これら凹部７１，７１に先端が突出するように、タッチセンサ７０Ａ，７０Ｂをそれぞれ取り付けてもよい。これによれば、図６（ｂ）に示されるように、タッチセンサ７０Ａ，７０Ｂが閉塞端部材５の対向面５１ａ，５１ａを検出した状態で、対向面５１ａ，５１ａと閉塞端部材６の対向面６１ａ，６１ａが面接することになり、対向面５１ａ，５１ａへの衝突に伴うタッチセンサ７０Ａ，７０Ｂの破損を抑制するとともに、側部閉塞部材１１による密閉性を損なうことがない。
【００４８】
また、開閉装置１０の側部閉塞部材１１が進出した際に、側部閉塞部材１１の移動中に外側物体センサであるタッチセンサ７Ａ，７Ｂがそれぞれ物体を検知することができるので、閉塞端部材５と閉塞端部材６とが凹凸嵌合して閉塞する前に物体を検知でき、物体を挟み込む危険性を低くできる。
【００４９】
また、タッチセンサ７Ａ，７Ｂ及びタッチセンサ１７が閉塞端部材５にまとめて設けられているため、配線等の構造を簡略化することができる。
【００５０】
また、タッチセンサ７Ａ，７Ｂ及びタッチセンサ１７を可動する側部閉塞部材１１側に設けられているため、タッチセンサ７Ａ，７Ｂ及びタッチセンサ１７の移動軌跡に存在する物体を異物として検出することができる。
【００５１】
また、タッチセンサ７Ａ，７Ｂ及びタッチセンサ１７は、側部閉塞部材１１側の閉塞端部材５に設けられる構成に限らず、例えば、タッチセンサ７Ａ，７Ｂを側部閉塞部材１１側に、タッチセンサ１７を間仕切パネル２’側の閉塞端部材６にそれぞれ設けてもよい。
【００５２】
また、タッチセンサ７Ａ，７Ｂ及びタッチセンサ１７は、最後尾の間仕切パネル２’と側部閉塞部材１１との間における前後方向の中央側と、前後端側とをそれぞれ検知できるものであれば、配設される数や検知範囲等は自由に構成されてよい。
【００５３】
また、タッチセンサ７Ａ，７Ｂ及びタッチセンサ１７は、閉塞端部材６の上下方向に渡って設けられている構成で説明したが、例えば、人の手の届く範囲の高さ方向に限定して設けられる構成であってもよい。
【００５４】
また、前記実施例では、対向する開閉端部が凹凸嵌合する態様として説明したが、これに限らず、開閉装置が正常に閉塞して対向する開閉端部同士が当接した状態において、内側物体センサが物体を検知できない構成であれば、開閉端部の形状は自由に選択されてよく、例えば、一方の開閉端部が平面であり、他方の開閉端部が凹部を有するようなものであってもよい。
【００５５】
また、開閉端部は、間仕切パネル２’の側部２ａ及び側部閉塞部材１１の側部１１ａにそれぞれ別体に固定される閉塞端部材５，６の対向端により構成される構成に限らず、例えば、間仕切パネル２’の側部２ａ及び側部閉塞部材１１の側部１１ａに直接設けられた凹凸形状の対向端により構成されていてもよい。
【００５６】
また、開閉判別装置１が適用される開閉装置１０は、両方の閉塞端部材が移動するものであってもよい。
【００５７】
また、制御部は、判定部からの電気信号を受け取り、開閉装置の進退機構に停止信号等を送ることができれば、設置場所は自由に構成されてよい。
【００５８】
また、開閉装置の閉塞完了を検知する方法は、自由に構成されてよく、例えば、開閉装置に側部閉塞部材が閉塞された際に、制御部に閉信号を送るようなリミットスイッチ等を設けてもよい。
【００５９】
また、開閉判別装置１を間仕切パネル装置に適用する場合に例に説明したが、可動式の開閉部材により隙間を閉塞する装置、例えば、開閉扉に適用することができる。また、開閉部材がスライド式に可動するものについて説明したが、可動の方向は問わず、例えば回転式に可動するものであってもよい。
【００６０】
また、前記実施例として、開閉装置の開閉判別装置について説明したが、凹凸嵌合部材の凹凸嵌合を判別する凹凸嵌合判別装置であってもよい。この場合、前記実施例においての凸部６０と凹部７１とを有する凹凸嵌合部材の該凸部６０と該凹部７１との嵌合を判別するものとすればよい。
【符号の説明】
【００６１】
１                開閉判別装置
２，２’          間仕切パネル
３                レール
５                閉塞端部材（開閉端部）
６                閉塞端部材（開閉端部）
７Ａ，７Ｂ        タッチセンサ（外側物体センサ）
８                判定処理装置（判定部）
９                制御部
１０              開閉装置
１１              側部閉塞部材
１２              進退機構
１７              タッチセンサ（内側物体センサ）
５０              凹部
５０ａ            底部
５１              延出部
５１ａ            対向面
６０              凸部
６０ｅ            先端部
６１              延出部
６１ａ            対向面
７０Ａ，７０Ｂ    タッチセンサ
７１              凹部
８０              報知手段
１００            移動間仕切装置
【図１】
0006673746.tif 000002
【図２】
0006673746.tif 000003
【図３】
0006673746.tif 000004
【図４】
0006673746.tif 000005
【図５】
0006673746.tif 000006
【図６】
0006673746.tif 000007